(57)【要約】      （修正有）【課題】部品点数が少なく、製造コストを低減可能な引戸用鎌錠を提供する。【解決手段】引戸に設けられる引戸用鎌錠であって、戸体の戸先側の端面から端面に対向して配置される枠体の係合穴に係合するよう戸体から出し入れ可能な鎌部２２と、鎌部２２に連結され、鎌部２２を施錠位置又は解錠位置に移動させるクランクアーム２３と、クランクアーム２３に連結され、クランクアーム２３を操作するアーム操作部４３と、アーム操作部４３と一体に設けられ、鎌部２２が施錠位置にある施錠状態か、解錠位置にある解錠状態かを表示する回動可能な板状の表示部４２と、を備え、クランクアーム２３は、アーム操作部４３を介して伝えられる表示部４２の動作に連動する構成とした。【選択図】図５
2018165466.tif 000002
【特許請求の範囲】
【請求項１】
引戸に設けられる引戸用鎌錠であって、
戸体の戸先側の端面から該端面に対向して配置される枠体の係合穴に係合するよう前記戸体から出し入れ可能な鎌部と、
前記鎌部に連結され、前記鎌部を施錠位置又は解錠位置に移動させるクランクアームと、
前記クランクアームに連結され、前記クランクアームを操作するアーム操作部と、
前記アーム操作部と一体に設けられ、前記鎌部が前記施錠位置にある施錠状態か、前記解錠位置にある解錠状態かを表示する回動可能な板状の表示部と、を備え、
前記クランクアームは、前記アーム操作部を介して伝えられる前記表示部の動作に連動する、引戸用鎌錠。
【請求項２】
前記アーム操作部は、前記表示部と一体で形成され、前記表示部と前記クランクアームとを接続する操作軸部を有し、
前記クランクアームは、前記操作軸部が挿通し、前記アーム操作部と同軸で回動する回動中心となるクランクアーム軸孔を有する請求項１に記載の引戸用鎌錠。
【請求項３】
前記表示部は、扇形であり、その表面における円周方向の中央に形成される凹部を有する請求項１又は２に記載の引戸用鎌錠。
【請求項４】
前記戸体の室外側表面から前記表示部が視認可能な表示窓を有するカバー体をさらに備え、
前記表示部は、前記凹部に隣接して前記凹部と異なる色彩を有する彩色部を有し、
前記施錠状態で、前記彩色部は、前記表示窓における戸体の移動方向の略中央に位置する請求項３に記載の引戸用鎌錠。
【発明の詳細な説明】
【技術分野】
【０００１】
本発明は、引戸用鎌錠に関する。
【背景技術】
【０００２】
従来、室内に設けられた引戸に引戸用鎌錠を設ける際、引戸を施錠する側の内面と反対側の外面に、非常用の解錠機構を設けることが知られている。引戸用鎌錠は、鎌状の鉤爪を有する鎌部と、鎌部に連結されるクランクアームとを備え、クランクアームが回動する動きに伴って、鎌部が戸体の外側の枠体に係合したり、又は戸体内に収容されるように構成される。
【０００３】
解錠機構としては、クランクアームの回動中心に、クランクアームとともに回動する軸部を挿通し、この軸部の端部に設けられた軸頭を引戸の外面に露出させることで構成されるものが提案されている。軸頭には溝が形成され、外側からコイン等の硬い部材を溝に嵌めて回転させることで、軸部を介してクランクアームを外側から回動させることが可能となっている（例えば、特許文献１参照）。
【先行技術文献】
【特許文献】
【０００４】
【特許文献１】特許４５９９４４８号公報
【発明の概要】
【発明が解決しようとする課題】
【０００５】
軸頭を引戸の外面に露出させて、外側から回動できるように配置するためには、軸部に加えて、軸部を保持するベースプレートや、ベースプレートを固定するねじ、ねじを隠蔽するカバープレート等が必要だった。加えて、解錠がなされたか施錠されているかを表示するため、ベースプレートに表示板を取り付けることが必要であり、部品点数が多くなっていた。
【０００６】
さらに、軸頭に形成された溝にコイン等を嵌めて回転させるためには、コインなどを捩じり回転させたときに変形しない程度のねじり耐力が必要とされる。このため、軸部及び軸頭は、所定の剛性を有する剛性を備えていなければならず、金属部材が用いられるため、製造コストが上昇する原因となっていた。
【０００７】
本発明は、部品点数が少なく、製造コストを低減可能な引戸用鎌錠を提供することを目的とする。
【課題を解決するための手段】
【０００８】
上記目的を達成するため本発明は、引戸（例えば、後述の引戸１００）に設けられる引戸用鎌錠（例えば、後述の引戸用鎌錠１）であって、戸体（例えば、後述の戸体１０）の戸先側の端面から該端面に対向して配置される枠体の係合穴に係合するよう前記戸体から出し入れ可能な鎌部（例えば、後述の鎌部２２）と、前記鎌部に連結され、前記鎌部を施錠位置又は解錠位置に移動させるクランクアーム（例えば、後述のクランクアーム２３）と、前記クランクアームに連結され、前記クランクアームを操作するアーム操作部（例えば、後述のアーム操作部４３）と、前記アーム操作部と一体に設けられ、前記鎌部が前記施錠位置にある施錠状態か、前記解錠位置にある解錠状態かを表示する回動可能な板状の表示部（例えば、後述の表示部４２）と、を備え、前記クランクアームは、前記アーム操作部を介して伝えられる前記表示部の動作に連動する、引戸用鎌錠。
【０００９】
前記アーム操作部は、前記表示部と一体で形成され、前記表示部と前記クランクアームとを接続する操作軸部（例えば、後述の操作軸部４３１）を有し、前記クランクアームは、前記操作軸部が挿通し、前記アーム操作部と同軸で回動する回動中心となるクランクアーム軸孔（例えば、後述のクランクアーム軸孔２３１）を有することが好ましい。
【００１０】
前記表示部は、扇形であり、その表面における円周方向の中央に形成される凹部（例えば、後述の凹部４２１）を有することが好ましい。
【００１１】
前記戸体の室外側表面から前記表示部が視認可能な表示窓（例えば、後述の表示窓４１１）を有するカバー体（例えば、後述のカバー体４１）をさらに備え、前記表示部は、前記凹部に隣接して前記凹部と異なる色彩を有する彩色部（例えば、後述の彩色部４２２）を有し、前記施錠状態で、前記彩色部は、前記表示窓における戸体の移動方向の略中央に位置することが好ましい。
【発明の効果】
【００１２】
本発明によれば、部品点数が少なく、製造コストを低減可能な引戸用鎌錠を提供することができる。
【図面の簡単な説明】
【００１３】
【図１】本実施形態の引戸用鎌錠が設けられた引戸を示す斜視図であり、（ａ）図は施錠操作を行う室内側面を示し、（ｂ）図は、室外側面を示す。
【図２】本実施形態の錠本体を示す模式図であり、（ａ）図は解錠状態を示し、（ｂ）図は、施錠状態を示す。
【図３】本実施形態の引戸用鎌錠の斜視図である。
【図４】本実施形態の引戸用鎌錠の室外側面から見た展開図である。
【図５】本実施形態の引戸用鎌錠の室内側面から見た展開図である。
【図６】本実施形態の表示部を示す図であり、（ａ）図は、施錠状態を示し、（ｂ）図は、解錠状態を示す。
【発明を実施するための形態】
【００１４】
以下、本発明の実施形態について、図面を参照しながら詳しく説明する。図１（ａ）は、引戸用鎌錠が設けられた引戸における施錠操作を行う室内側面を示し、（ｂ）図は、室外側面を示す。
図１（ａ）に示すように、室内に設けられた引戸１００の引戸用鎌錠１は、室内側でプッシュボタンを押すことで鍵がかかるように構成された室内側操作部３が設けられている。
図１（ｂ）に示すように、室外側では、何らかの事情で意図せず鍵がかかってしまったり、室内側にいる人物が体調を崩した場合等、非常時に外側から鍵を解錠するように構成された非常用操作部４が設けられている。
引戸用鎌錠１は、引戸１００の中に埋設される錠本体２と、この錠本体２に接続される室内側操作部３及び非常用操作部４と、取り付けピース５（図３参照）と、を有する。
【００１５】
図２（ａ）は、引戸用鎌錠１における錠本体２の解錠状態を示す正面図であり、図２（ｂ）は、施錠状態を示す正面図である。
図２（ａ）及び（ｂ）に示すように、錠本体２は、ケーシング２１と、鎌部２２と、クランクアーム２３と、トリガ部２４と、付勢ばね２５と、を有する。
【００１６】
ケーシング２１は、引戸１００内に収容可能な薄い筺体である。ケーシング２１は、収容部２１１と、戸側端面２１２と、軸孔２１３と、ボタンスイッチ係合孔２１４と、ばね掛け軸２１５と、取り付けピース接続孔２１６と、を有する。
【００１７】
収容部２１１は、内部が中空の略箱状の部分である。
戸側端面２１２は、引戸１００の端面に露出する収容部２１１の戸先側の側面である。戸側端面２１２は、平坦で長方形の角が丸められた形状を有し、収容部２１１の上下方向の寸法よりも上下方向の寸法が大きい。戸側端面２１２は、鎌出入口２１２ａ及びトリガ孔２１２ｂを有する。図１（ａ）及び図１（ｂ）に示すように、戸側端面２１２は、引戸１００の戸先側にねじで固定される。
軸孔２１３は、収容部２１１の厚さ方向を貫通する方向に延びる。軸孔２１３は、戸側端面２１２から吊元側に離間した位置に設けられている。
ボタンスイッチ係合孔２１４は、軸孔２１３の戸先寄りに、軸孔２１３と並んで配置される貫通孔である。ボタンスイッチ係合孔２１４は、収容部２１１の上下方向に長く延びる長孔である。後述するボタンスイッチ突起３３が係合する。
ばね掛け軸２１５は、収容部２１１の吊元側に、収容部２１１を厚さ方向に貫通する方向に延びる軸部である。
取り付けピース接続孔２１６は、軸孔２１３の下方に配置される貫通孔である。後述する室内側操作部３及び非常用操作部４を接続する取り付けピース５が挿通する。
【００１８】
鎌部２２は、頭部２２ａ及び鉤部２２ｂを有し、概ね円盤状の部分にＬ字状の鉤部分が連続的に形成された平たい部品である。
【００１９】
頭部２２ａは、円弧状の側縁を有する板状の部分である。頭部２２ａは、長孔２２ｃ及びばね係合突出部２２ｄを有する。長孔２２ｃは、頭部２２ａの円弧で囲まれる略中心から径方向外側に向かって延びるように形成される。ばね係合突出部２２ｄは、頭部２２ａの外縁から半径方向外側に延出する突出部である。ばね係合突出部２２ｄには、貫通孔２２ｅが形成されており、後述する付勢ばね２５が係止される。
鉤部２２ｂは、頭部２２ａから延出するＬ字状の鉤となる部分である。鉤部２２ｂは、ケーシング２１の戸側端面２１２に形成された鎌出入口２１２ａから施錠時には突出し、引戸１００の戸体１０の端面から、端面に対抗して配置される枠体の係合穴（図示せず）に係合する。鉤部２２ｂは、戸体１０から出し入れ可能に移動する。
【００２０】
クランクアーム２３は、縦長で平らなアーム状の部品であり、一端が円弧状の側縁を有し、他端が鎌部２２の頭部２２ａと連結される。クランクアーム２３は、鎌部２２を戸側端面２１２から突出させて枠体の係合孔に係合させる施錠位置、又は収容部２１１に収容された解錠位置へと移動させる。クランクアーム２３は、クランクアーム軸孔２３１と、クランクアームボタン孔２３２と、鎌部係合突起２３３ａ、２３３ｂ、を有する。
【００２１】
クランクアーム軸孔２３１は、クランクアーム２３の一端側で、円弧状の側縁で囲まれる略中心部に形成される断面が四角形の貫通孔である。クランクアーム軸孔２３１は、クランクアーム２３がケーシング２１内に収容された際に、ケーシングの軸孔２１３と同心の位置に配置される。すなわち、軸孔２１３の円の内側に四角形のクランクアーム軸孔２３１が配置され、クランクアーム軸孔２３１と軸孔２１３との間には、クランクアーム２３の一部が嵌まり込んで露出している。
【００２２】
クランクアームボタン孔２３２は、クランクアーム軸孔２３１の戸先寄りに形成され、戸先―吊元側に延びる長円の貫通孔である。クランクアームボタン孔２３２は、ケーシング２１の収容部２１１に収容された状態で、収容部２１１のボタンスイッチ係合孔２１４と重なる位置に形成される。
【００２３】
鎌部係合突起２３３ａ、２３３ｂは、クランクアーム２３の他端側で、平坦な面から突出する２つの突起である。２つの鎌部係合突起２３３ａ、２３３ｂは、互いに離間して配置されている。２つのうちの一方の鎌部係合突起２３３ａは、鎌部２２の頭部２２ａに設けられた長孔２２ｃ内に係合する。他方の鎌部係合突起２３３ｂは、鎌部２２がロック操作に伴って回動した際に、頭部２２ａの一部に当接し、頭部２２ａの回動範囲を制限する。
【００２４】
トリガ部２４は、トリガ本体２４１と、トリガばね２４２と、突出部２４３と、ストッパ部２４４、を有する。
トリガ本体２４１は、略Ｌ字状の中空のケースである。
トリガばね２４２は、トリガ本体２４１の内部に、トリガ本体２４１の長手方向に沿って配置される。
突出部２４３は、トリガばね２４２に付勢され、解錠状態の間、ケーシング２１のトリガ孔２１２ｂから突出する。
ストッパ部２４４は、トリガ本体２４１の略Ｌ字状の短辺の突端に配置され、鎌部２２の鉤部２２ｂの後方に当接する。ストッパ部２４４は、鉤部２２ｂの回動を規制する。
【００２５】
付勢ばね２５は、ねじりコイルばねである。付勢ばね２５は、一端がケーシング２１の収容部２１１におけるばね掛け軸２１５に係着される。付勢ばね２５は、その他端は、ばね係合突出部２２ｄにおける貫通孔２２ｅに掛け止めされる。付勢ばね２５は、鎌部２２が施錠状態を維持するように付勢する。
【００２６】
図３は、引戸用鎌錠１の斜視図である。図４は、引戸用鎌錠１の室外側面から見た展開図である。図５は、引戸用鎌錠１の室内側面から見た展開図である。図３〜５を参照して、室内側操作部３及び非常用操作部４について説明する。
【００２７】
図３〜５に示すように、室内側操作部３は、スイッチケース３１と、ボタンスイッチ３２と、ボタンスイッチ突起３３と、を有する。
スイッチケース３１は、ケース板３１１と、凹部３１２と、ボタン側取り付けピース受３１３と、を有する。
ケース板３１１は、図１（ａ）に示されるように、引戸１００の室内側表面に沿って配置される長方形の薄い板体である。
凹部３１２は、ケース板３１１の中央部側が四角く窪んだ部分である。凹部３１２の底部には、後述するボタンスイッチ突起３３が貫通する突起貫通孔３１２ａが一対形成されている（図４参照）。
ボタン側取り付けピース受３１３は、ケース板３１１の裏面から突出する突出部であり、断面視コの字状に内部が窪んだ凹部となっている。ボタン側取り付けピース受３１３は、ケース板３１１の裏面の上方と下方にそれぞれ一つ形成されている。ボタン側取り付けピース受３１３は、室内側操作部３及び非常用操作部４が向かい合うように配置されたときに、室内側操作部３及び非常用操作部４を接続するため、後述する取り付けピース４５が嵌合する部分である。
【００２８】
図５に示すように、ボタンスイッチ３２は、ケース板３１１の凹部３１２内に収容される直方体のスイッチである。ボタンスイッチは、ケース板３１１内の長手方向の中央部で軸支され、ボタンスイッチ３２の上部を押圧すると、凹部３１２側にボタンスイッチ３２が傾くように構成されている。なお、ボタンスイッチ３２の下部を押圧しても、ボタンスイッチ３２は働かない。
【００２９】
ボタンスイッチ突起３３は、ボタンスイッチ３２の裏面から突出する突起である。ボタンスイッチ突起３３は、ケース板３１１の凹部３１２に形成された突起貫通孔３１２ａを挿通して室内側面から室外側面に向かって突出する。ボタンスイッチ突起３３は、さらに、ケーシング２１における収容部２１１のボタンスイッチ係合孔２１４及びボタンスイッチ係合孔２１４に重なって配置されているクランクアームボタン孔２３２を挿通する。
【００３０】
非常用操作部４は、カバー体４１と、表示部４２と、アーム操作部４３と、を有する。
カバー体４１は、図１（ｂ）に示されるように、引戸１００の室外側表面に沿って配置される長方形の薄い板体である。カバー体４１は、開口部としての表示窓４１１と、カバー体側取り付けピース受４１２と、表示部受部４１３と、表示部支持部４１４と、上部突起４１５と、を有する。
【００３１】
表示窓４１１は、カバー体４１の上部、長手方向の一方側に配置される四角い貫通孔である。
【００３２】
カバー体側取り付けピース受４１２は、図５に示すように、カバー体４１の裏面から突出する突起で、断面視コの字状に内部が窪んだ凹部となっている。カバー体側取り付けピース受４１２は、カバー体４１の裏面の上方と下方にそれぞれ一つ形成されている。カバー体側取り付けピース受４１２は、室内側操作部３及び非常用操作部４が向かい合うように配置されたときに、室内側操作部３及び非常用操作部４を接続するため、後述する取り付けピース５が嵌合する部分である。
【００３３】
表示部受部４１３は、図５に示すように、カバー体４１の裏面に形成され、表示窓４１１の移動範囲を規制する部分である。表示部受部４１３は、規制壁４１３ａと、凹部４１３ｂと、を有する。
規制壁４１３ａは、カバー体４１の裏面から突出する壁状の凸部で、略扇形に形成される。
凹部４１３ｂは、規制壁４１３ａで囲まれる規制壁４１３ａの内側の空間であり、後述する表示部４２が配置される。
【００３４】
表示部支持部４１４は、表示部受部４１３の下方の略中央部に配置され、規制壁４１３ａと略同一の高さ突出する壁状の凸部である。表示部支持部４１４は、カバー体４１の幅方向に沿うとともに下方にやや湾曲している。表示部支持部４１４は、後述する表示部４２の下端が当接し、表示部４２の下端を支持する。
【００３５】
上部突起４１５は、カバー体側取り付けピース受４１２を間に挟んで幅方向の一方及び他方に配置され、カバー体４１の裏面から突出する突起である。
【００３６】
表示部４２は、引戸１００の室内側で操作された引戸用鎌錠１が、施錠状態になっているか、解錠状態になっているかを室外側から視認できるように表示する部分である。表示部４２は、扇形で、円周方向に沿って回動可能な板状である。表示部４２は、カバー体４１の表示窓４１１の裏側に配置される。表示部４２は、カバー体４１の裏面に形成されている扇形の表示部受部４１３よりも、円周方向の長さが短い。すなわち、表示部４２は、表示部受部４１３に合わせたとき、表示部受部４１３よりも小さく、左右に回動可能な隙間が表示部受部４１３内に形成されるような寸法に形成されている。表示部４２は、樹脂製である。
【００３７】
表示部４２は、図４に示すように、凹部４２１と、彩色部４２２と、凹部同色部４２３と、を有する。
凹部４２１は、表示部４２の表面に形成される窪みである。凹部４２１は、表示部４２の表面の円周方向の中央で、径方向外側に形成されている。凹部４２１は、表示部４２の外径に沿って配置されており、凹部４２１自体も小さな扇形をしている。
彩色部４２２は、凹部４２１の幅方向における両側に配置されている。彩色部４２２は、表示部４２の半径方向に沿って細長く延びる。彩色部４２２は、凹部４２１と異なる色に彩色されている。例えば、凹部４２１は、表示部４２を構成する素材自体と同じ黒色で、彩色部４２２はオレンジ色である。
凹部同色部４２３は、彩色部４２２のさらに外側から表示部４２の円周方向外側の端部までの面が、凹部４２１と同じ色に形成された部分である。この例では、凹部同色部４２３は黒色である。
【００３８】
アーム操作部４３は、表示部４２と一体成形される樹脂製である。アーム操作部４３は、クランクアーム２３に連結されてクランクアーム２３を操作し、錠本体２を施錠状態から解錠状態へ操作する。アーム操作部４３は、操作軸部４３１と、カバー体当接部４３２と、を有する。
操作軸部４３１は、表示部４２の扇面の中心側に配置されている。操作軸部４３１は、表示部４２の扇面の下から裏側に向けて突出して延び、表示部４２とクランクアーム２３とを接続する。操作軸部４３１は、表示部４２の近位側は円筒状で、操作軸部４３１の遠位側の略半分が角形に形成されている。操作軸部４３１は、錠本体２の収容部２１１に設けられた軸孔２１３及び軸孔２１３と同心に配置されているクランクアーム軸孔２３１を挿通する。
カバー体当接部４３２は、表示部４２の扇面の下方に延出する略円形の面状の部分である。カバー体当接部４３２は、表面がカバー体４１の裏面に当接し、その下端がカバー体４１の湾曲した表示部支持部４１４に支持される。
【００３９】
取り付けピース５は、室内側操作部３及び非常用操作部４を接続する略角柱状の部品である。取り付けピース５は、一端がボタン側取り付けピース受３１３に、他端がカバー体側取り付けピース受４１２の断面視略コの字状の突起に嵌合される。
【００４０】
次に、本実施形態の引戸用鎌錠１の動きについて説明する。
図２（ａ）に示すように、解錠状態では、クランクアーム２３は、長手方向が収容部２１１の上辺に沿うように上側に寄って配置されている。このとき、クランクアーム２３の鎌部係合突起２３３ａは、鎌部２２の頭部２２ａに形成される長孔２２ｃに係合している。また、鎌部２２の頭部２２ａのばね係合突出部２２ｄに形成された貫通孔２２ｅに、付勢ばね２５が係止され、鎌部２２の頭部２２ａと鉤部２２ｂとが収容部２１１の上下方向に沿って並ぶような姿勢に付勢している。
【００４１】
この状態から室内側操作部３のボタンスイッチ３２を押圧する。ボタンスイッチ突起３３は、収容部２１１のボタンスイッチ係合孔２１４及びクランクアームボタン孔２３２に挿通しているので、ボタンスイッチ３２を押すと、ボタンスイッチ突起３３が押し下げられ、クランクアームボタン孔２３２の縁に圧力がかかり、クランクアーム２３が押し下げられる。クランクアーム２３が押し下げられると、鎌部係合突起２３３ａと離間して配置されている鎌部係合突起２３３ｂが、鎌部２２の頭部２２ａの外縁に当接する。頭部２２ａは、鎌部係合突起２３３ａ及び鎌部係合突起２３３ｂの間に位置するので、頭部２２ａの不要な回転は制限される。
【００４２】
図２（ｂ）に示すように、クランクアーム２３が押し下げられると、クランクアーム２３の鎌部係合突起２３３ａが鎌部２２の頭部２２ａの長孔２２ｃを移動しながら、長孔２２ｃを介して頭部２２ａを下方に向かって時計回りに回転させる。頭部２２ａが下方に下がりながら時計回りに回転すると、頭部２２ａの下方に位置していた鉤部２２ｂが頭部２２ａの回転に伴って戸先側へ突出する。鉤部２２ｂが戸先側にある枠体に係合することで、引戸１００がロックされる。この状態が施錠状態である。
【００４３】
図６（ａ）は、施錠状態の表示部４２を示し、図６（ｂ）は、解錠状態の表示部４２を示す。
図６（ａ）に示すように、表示部４２が戸体１０の室外側表面から視認可能となるように、カバー体４１に表示窓４１１が設けられている。施錠状態では、彩色部４２２は、表示窓４１１における戸体１０の移動方向の略中央、すなわち、表示窓４１１における図中左右方向の略中央に、カバー体４１の上下方向に延びるように位置している。彩色部４２２の左右は、一方が凹部４２１で、他方が凹部同色部４２３であり、このように表示窓４１１の左右方向の略中央に彩色部４２２が位置していると、施錠状態であることが認識される。
ここで凹部４２１に爪楊枝やヘアピン等の先の細いものを差し、凹部４２１と彩色部４２２の間の段差に引っ掛けて凹部４２１を図中矢印方向へ動かす。表示部４２は、カバー体４１の裏面に形成された表示部受部４１３の中を左右に摺動可能に取り付けられており、２０度〜３０度の角度で摺動する。図６（ｂ）に示すように、表示部４２を動かすと、凹部４２１のみが表示窓４１１から視認されるようになり、解錠状態になったことが理解される。
【００４４】
表示部４２とアーム操作部４３とが一体に形成されているので、表示部４２を回転させると、表示部４２の動きに伴って、アーム操作部４３が回転する。アーム操作部４３が回転すると、アーム操作部４３と同軸で回動する回動中心となるクランクアーム軸孔２３１が回転し、アーム操作部４３の回転に伴って、クランクアーム２３が回転する。クランクアーム２３は、アーム操作部４３を介して伝えられる表示部４２の動作に連動する。
【００４５】
より詳細には、図５に示すように、引戸１００の非常用操作部４において、扇形の表示部４２は、カバー体４１の裏面の表示部受部４１３に嵌め込まれている。また、表示部４２から連続して延びるカバー体当接部４３２と、室内側操作部３側に向かって突出する操作軸部４３１とによりアーム操作部４３が構成されている。操作軸部４３１は、収容部２１１の軸孔２１３及び軸孔２１３と同心のクランクアーム２３のクランクアーム軸孔２３１に挿通される。クランクアーム軸孔２３１は、断面視方形であり、操作軸部４３１もまた断面視四角形である。このため扇形の表示部４２を一方側に回転させると、表示部４２と一体になっている操作軸部４３１が回転する。操作軸部４３１が回転すると、操作軸部４３１に係合しているクランクアーム２３が、表示部４２に伴って回転する。
【００４６】
施錠状態の錠本体２において、操作軸部４３１を時計回りに回転させると、操作軸部４３１が断面視四角形であるため、回転する力がクランクアーム２３に伝わり、クランクアーム２３が時計回りに回転する。クランクアーム２３が時計回りに回転すると、クランクアーム２３の鎌部係合突起２３３ａが、鎌部２２の頭部２２ａの長孔２２ｃを移動する。クランクアーム２３は、長孔２２ｃを介して頭部２２ａを上方に向かって反時計回りに回転させる。頭部２２ａが上方に上がりながら反時計回りに回転すると、戸先側に突出していた鉤部２２ｂが頭部２２ａの回転に伴って収容部２１１内に引っ込む。このように、解錠状態に戻る。
【００４７】
図６（ｂ）に示すように、解錠状態になったとき、表示部４２は、凹部４２１を表示している。彩色部４２２が見えないので、使用者は、解錠されたことがわかる。
【００４８】
本実施形態によれば、以下の効果が奏される。
本実施形態によれば、引戸１００に設けられる引戸用鎌錠１を、戸体１０の戸先側の端面から該端面に対向して配置される枠体の係合穴に係合するよう戸体１０から出し入れ可能な鎌部２２と、鎌部２２に連結され、鎌部を施錠位置又は解錠位置に移動させるクランクアーム２３と、クランクアーム２３に連結され、クランクアーム２３を操作するアーム操作部４３と、アーム操作部４３と一体に設けられ、鎌部２２が施錠位置にある施錠状態か、解錠位置にある解錠状態かを表示する回動可能な板状の表示部４２と、を含んで構成した。また、クランクアーム２３を、アーム操作部４３を介して伝えられる表示部４２の動作に連動させた。
【００４９】
本実施形態によれば、アーム操作部４３と表示部４２とを一体に形成し、クランクアーム２３を、アーム操作部４３を介して伝えられる表示部４２の動作に連動させたので、部品点数を削減することができる。すなわち、クランクアーム２３を戸体の室外側面から操作するための操作軸や、施錠状態か解錠状態かを表示する表示板、表示板を操作軸との間で保持するためのベースプレート等の別々の部品が不要となり、表示部４２とアーム操作部４３が一体となった一つの部品のみでクランクアーム２３を操作することができる。
さらに、操作軸を室外側面から操作する場合、操作軸にねじり耐力を付与するため、金属で構成する必要があり、製造コストがかかっていた。しかし、よって、表示部４２とアーム操作部４３が一体となった一つの部品を樹脂で構成することも可能になり、製造コストが低減できる。
さらに、表示部４２によって、クランクアーム２３の操作をすることができるため、外観設計の自由度が高まり、意匠性も向上する。
【００５０】
本実施形態によれば、アーム操作部４３を、表示部４２と一体で形成し、表示部４２とクランクアーム２３とを接続する操作軸部４３１を含んで構成した。また、クランクアーム２３を、操作軸部４３１が挿通し、アーム操作部４３と同軸で回動する回動中心となるクランクアーム軸孔２３１を含んで構成した。これにより、クランクアーム軸孔２３１に表示部４２と一体の操作軸部４３１を挿通させて操作することができる。よって、クランクアーム２３を移動させる操作が簡単になるとともに、上記と同様の効果を奏する。
【００５１】
本実施形態によれば、表示部４２を、扇形に形成し、その表面における円周方向の中央に形成される凹部４２１を含んで構成した。これにより、凹部４２１に先端の細い部材を引っ掛けて表示部４２を円周方向に移動させる操作が可能になる。このため、表示部４２の操作がより簡単になる。
【００５２】
本実施形態によれば、戸体１０の室外側表面から表示部４２が視認可能な表示窓４１１を有するカバー体４１をさらに含んで構成した。また、表示部４２を、凹部４２１に隣接して凹部４２１と異なる色彩を有する彩色部４２２を含んで構成し、施錠状態で、彩色部４２２を、表示窓４１１における戸体１０の移動方向の略中央に位置させた。これにより、施錠状態であることがわかりやすい。
【００５３】
なお、本発明は上記実施形態に限定されるものではなく、本発明の目的を達成できる範囲での変形、改良等は本発明に含まれる。
例えば、上記実施形態では、施錠状態で、彩色部４２２が表示窓４１１の左右方向の略中心に位置し、彩色部４２２の一方が凹部４２１で、他方が凹部同色部４２３となっているが、これに限られない。施錠状態で、表示窓４１１の左右方向における半分側がすべて彩色部で、もう一方の半分がすべて凹部となるように構成してもよい。
【００５４】
また、上記実施形態では、凹部４２１は黒色で、彩色部４２２は、オレンジ色であるが、色や彩色の方法は限定されない。上記実施形態では、凹部４２１及び凹部同色部４２３が表示部４２を構成する素材自体の色であり、彩色部４２２のみ着色されているが、その逆でもよい。
【００５５】
また、上記実施形態では、彩色部４２２は凹部４２１の両側に配置されている。両側に配置されることで、引戸用鎌錠１が引戸１００の戸体１０１の幅方向右側に設置された場合でも、左側に設置された場合でも対応が可能になる。しかし、彩色部４２２の位置は上記に限られず、凹部４２１の一方側にのみ隣接して配置されていてもよい。
【００５６】
また、上記実施形態では、表示部４２は扇形に形成され、カバー体４１の裏面の表示部受部４１３も扇形に形成されている。しかし、表示部４２がアーム操作部４３とともに回動でき、カバー体４１の表示窓４１１から、凹部４２１及び彩色部４２２の位置が切り替わるように視認可能であれば、表示部４２及び表示部受部４１３の形状は扇形に限られない
例えば、表示部受部は、表示部の回動を所定範囲に規制するとともに表示部をカバー体に対して移動可能に支持させることができればよく、表示部の移動範囲の限界の位置に突起を設けるだけでもよい。
また、表示部をカバー体に移動可能に取り付ける構造は、適宜変更されてよい。
【符号の説明】
【００５７】
１      引戸用鎌錠
１０    引戸
２２    鎌部
２３    クランクアーム
４２    表示部
４３    アーム操作部
２３１  クランクアーム軸孔
４１１  表示窓
４２１  凹部
４２２  彩色部
４３１  操作軸部
１００  引戸
【図１】
2018165466.tif 000003
【図２】
2018165466.tif 000004
【図３】
2018165466.tif 000005
【図４】
2018165466.tif 000006
【図５】
2018165466.tif 000007
【図６】
2018165466.tif 000008